(57)【要約】【課題】複数チャネルの出力手段を有効に利用でき、シリアルデータの伝送の最中に発生したノイズによるエラーの処理が可能なエラー処理装置を提供する。【解決手段】データセットとチャネル選択とを含むデジタルシリアルデータを入力するシリアルデータ入力手段と、複数チャネルの出力手段と、複数チャネルの出力手段のうち、シリアルデータ入力手段が入力したデジタルシリアルデータに含まれるチャネル選択により指定されるチャネルの出力手段に、シリアルデータ入力手段が入力したデジタルシリアルデータに含まれるデータセットを供給する分配手段と、を備える分配装置のためのエラー処理装置であって、シリアルデータ入力手段が入力したデジタルシリアルデータに含まれるチャネル選択により指定されるチャネル以外のチャネルの出力手段からの出力信号に基づいて、エラーを検出するエラー検出手段を備える。【選択図】図８
2020016837.tif 000002
【特許請求の範囲】
【請求項１】
データセットとチャネル選択とを含むデジタルシリアルデータを入力するシリアルデータ入力手段と、
複数チャネルの出力手段と、
前記複数チャネルの出力手段のうち、前記シリアルデータ入力手段が入力した前記デジタルシリアルデータに含まれる前記チャネル選択により指定されるチャネルの出力手段に、前記シリアルデータ入力手段が入力した前記デジタルシリアルデータに含まれるデータセットを供給する分配手段と、
を備え、前記複数チャネルの出力手段の各々は、前記分配手段から供給された前記データセットに対応した信号を出力する分配装置のためのエラー処理装置であって、
前記シリアルデータ入力手段が入力した前記デジタルシリアルデータに含まれる前記チャネル選択により指定されるチャネル以外のチャネルの前記出力手段からの出力信号に基づいて、エラーを検出するエラー検出手段を備えることを特徴とするエラー処理装置。
【請求項２】
請求項１に記載のエラー処理装置であって、
前記シリアルデータ入力手段が入力した前記デジタルシリアルデータに含まれる前記チャネル選択により指定されるチャネル以外のチャネルとは、未使用チャネルであることを特徴とするエラー処理装置。
【請求項３】
請求項１又は２項に記載のエラー処理装置であって、
第１の所定のチャネルを指定するチャネル選択を含むデジタルシリアルデータに続けて、第２の所定のチャネルを指定するチャネル選択を含むデジタルシリアルデータを送信するデータ送信手段を更に備え、
前記エラー検出手段は、前記第２の所定のチャネルを指定するチャネルを含むデジタルシリアルデータのエラーを検出したならば、前記第１の所定のチャネルを指定するチャネルを含むデジタルシリアルデータにもエラーが発生した可能性があると判断することを特徴とするエラー処理装置。
【請求項４】
請求項３に記載のエラー処理装置であって、
前記第２の所定のチャネルを指定するチャネル選択を含むデジタルシリアルデータを送信することとは、既にデータセットを供給したチャネルと同一のチャネルに既に供給したデータセットと同一のデータセットを供給することであることを特徴とするエラー処理装置。
【請求項５】
請求項３又は４に記載のエラー処理装置であって、
第１の所定のチャネルとは、エラーが発生しても未使用チャネルに変化しないチャネルであることを特徴とするエラー処理装置。
【請求項６】
請求項３又は４に記載のエラー処理装置であって、
第１の所定のチャネルとは、エラーが発生しても未使用チャネルに変化しないチャネルであり、第２の所定のチャネルとは、エラーが発生したら未使用チャネルに変化するチャネルであることを特徴とするエラー処理装置。
【請求項７】
請求項３乃至６の何れか１項に記載のエラー処理装置であって、
前記エラー検出手段は、前記第２の所定のチャネルを指定するチャネル選択を含むデジタルシリアルデータのエラーを検出したならば、前記第１の所定のチャネルを指定するチャネル選択を含むデジタルシリアルデータにもエラーが発生した可能性があると判断し、更に、前記第１の所定のチャネルを指定するチャネル選択を含むデジタルシリアルデータにエラーが発生したときに前記第１の所定のチャネルの代わりに指定されるチャネルにもエラーが発生した可能性があると判断することを特徴とするエラー処理装置。
【請求項８】
請求項１乃至７の何れか１項に記載のエラー処理装置であって、
前記エラー検出手段がエラーを検出したならば、それに応じた処理をする手段を更に備えることを特徴とするエラー処理装置。
【請求項９】
請求項１乃至８の何れか１項に記載のエラー処理装置であって、
前記複数チャネルの出力手段に含まれる少なくとも一部の出力手段は、自チャネルに供給された前記データセットに対応したアナログ電圧を出力するデジタル／アナログ変換器を備えることを特徴とするエラー処理装置。
【請求項１０】
請求項１乃至９の何れか１項に記載のエラー処理装置を備えることを特徴とする高圧基板。
【請求項１１】
請求項１乃至９の何れか１項に記載のエラー処理装置を備えることを特徴とする画像形成装置。
【請求項１２】
請求項１乃至９の何れか１項に記載のエラー処理装置を備えることを特徴とする複合機。
【請求項１３】
データセットとチャネル選択とを含むデジタルシリアルデータを入力するシリアルデータ入力手段と、
複数チャネルの出力手段と、
前記複数チャネルの出力手段のうち、前記シリアルデータ入力手段が入力した前記デジタルシリアルデータに含まれる前記チャネル選択により指定されるチャネルの出力手段に、前記シリアルデータ入力手段が入力した前記デジタルシリアルデータに含まれるデータセットを供給する分配手段と、
を備え、前記複数チャネルの出力手段の各々は、前記分配手段から供給された前記データセットに対応した信号を出力する分配装置のためのエラー処理方法であって、
前記シリアルデータ入力手段が入力した前記デジタルシリアルデータに含まれる前記チャネル選択により指定されるチャネル以外のチャネルの前記出力手段からの出力信号に基づいて、エラーを検出するエラー検出ステップを備えることを特徴とするエラー処理方法。
【発明の詳細な説明】
【技術分野】
【０００１】
本発明は、データ分配装置で発生したエラーに関する処理を行うエラー処理装置、高圧基板、画像形成装置及び複合機並びにエラー処理方法に関する。
【背景技術】
【０００２】
電子写真式の画像形成装置は、感光体ドラムを帯電させるための帯電装置、感光体ドラムに形成された潜像を現像するための現像装置、感光体ドラムに形成されたトナー像を記録媒体に転写するための転写装置、感光体ドラムに残留したトナーを剥離するための剥離手段などを備えるが、これらの装置などは、高圧電源を必要とする。例えば、図８に示すように、７つの高圧電源を必要とし、これらの電源を図７に示すようなシーケンスで変化させる必要がある。
【先行技術文献】
【特許文献】
【０００３】
【特許文献１】特開２０１３−１６２４８４号公報
【発明の概要】
【発明が解決しようとする課題】
【０００４】
上記のような高圧電源が所定のシーケンス通りに変化していかないと、形成された画像が劣化し,或いは、画像が形成されないおそれがある。
【０００５】
特許文献１にはデジタル／アナログ変換器のデジタル入力端子から入力されるアドレス指定データとアナログ電圧指定データにノイズによる間違いがあるか否かをチェックするために１４ステージのシフトレジスタ（シフトレジスタは後ろから入力され１クロック毎に前にシフトしていく）の先頭ビットの値が出力されるデジタル出力端子（別回路が必要）と１４クロック前に入力した値を比較して同じかどうかでノイズによる間違いがあるか否かをチェックする発明が記載されている。
【０００６】
しかし、例えば、エラーを検出するためには、制御部がデジタル／アナログ変換器に供給するビット列の先頭ビットと次のビットの値を異ならせる必要があるので、アドレスの選択に制限がかかってしまう。デジタル／アナログ変換器に備わる複数チャネルのうちの半分のチャネルしか利用できなくなってしまう。また、ロード信号が発生する前に発生したノイズによるエラーの検出はできない。
【０００７】
そこで、本発明は、複数チャネルの出力手段を有効に利用でき、シリアルデータの伝送の最中に発生したノイズによるエラーの処理が可能なエラー処理装置、高圧基板、画像形成装置及び複合機並びにエラー処理方法を提供することを目的とする。
【課題を解決するための手段】
【０００８】
本発明によれば、
データセットとチャネル選択とを含むデジタルシリアルデータを入力するシリアルデータ入力手段と、
複数チャネルの出力手段と、
前記複数チャネルの出力手段のうち、前記シリアルデータ入力手段が入力した前記デジタルシリアルデータに含まれる前記チャネル選択により指定されるチャネルの出力手段に、前記シリアルデータ入力手段が入力した前記デジタルシリアルデータに含まれるデータセットを供給する分配手段と、
を備え、前記複数チャネルの出力手段の各々は、前記分配手段から供給された前記データセットに対応した信号を出力する分配装置のためのエラー処理装置であって、
前記シリアルデータ入力手段が入力した前記デジタルシリアルデータに含まれる前記チャネル選択により指定されるチャネル以外のチャネルの前記出力手段からの出力信号に基づいて、エラーを検出するエラー検出手段を備えることを特徴とするエラー処理装置が提供される。
【０００９】
また、本発明によれば、上記のエラー処理装置を備えることを特徴とする高圧基板が提供される。
【００１０】
更に、本発明によれば、上記のエラー処理装置を備えることを特徴とする画像形成装置が提供される。
【００１１】
更に、本発明によれば、上記のエラー処理装置を備えることを特徴とする複合機が提供される。
【００１２】
更に、本発明によれば、
データセットとチャネル選択とを含むデジタルシリアルデータを入力するシリアルデータ入力手段と、
複数チャネルの出力手段と、
前記複数チャネルの出力手段のうち、前記シリアルデータ入力手段が入力した前記デジタルシリアルデータに含まれる前記チャネル選択により指定されるチャネルの出力手段に、前記シリアルデータ入力手段が入力した前記デジタルシリアルデータに含まれるデータセットを供給する分配手段と、
を備え、前記複数チャネルの出力手段の各々は、前記分配手段から供給された前記データセットに対応した信号を出力する分配装置のためのエラー処理方法であって、
前記シリアルデータ入力手段が入力した前記デジタルシリアルデータに含まれる前記チャネル選択により指定されるチャネル以外のチャネルの前記出力手段からの出力信号に基づいて、エラーを検出するエラー検出ステップを備えることを特徴とするエラー処理方法が提供される。
【発明の効果】
【００１３】
本発明によれば、複数チャネルの出力手段を有効に利用でき、シリアルデータの伝送の最中に発生したノイズによるエラーの処理が可能になる。
【図面の簡単な説明】
【００１４】
【図１】本発明の第１の実施の形態による高圧基板を含む構成を示す機能ブロック図である。
【図２】複数チャネルＤ／Ａコンバータの構成を示す機能ブロック図である。
【図３】（ａ）は、正常時に複数チャネルＤ／Ａコンバータに供給される信号のタイミング図であり、（ｂ）は、エラー発生時に複数チャネルＤ／Ａコンバータ供給される信号のタイミング図である。
【図４】複数チャネルＤ／Ａコンバータのデータセットとアナログ出力電圧レベルとの対応関係を示す図である。
【図５】複数チャネルＤ／Ａコンバータのチャネル選択とチャネルのアドレスとの対応関係を示す図である。
【図６】本発明の第１の実施の形態による高圧基板を含む他の構成を示す機能ブロック図である。
【図７】本発明の第１の実施の形態による高圧基板が発生する高圧信号の波形図である。
【図８】本発明の第１の実施の形態による高圧基板に供給されるデータセットのＤ７が１である場合において、ビットシフトエラーが発生したときにチャネルがどのように変更されるかを示す表である。
【図９】本発明の第１の実施の形態による高圧基板に供給されるデータセットのＤ７が０である場合において、ビットシフトエラーが発生したときにチャネルがどのように変更されるかを示す表である
【図１０】本発明の第２の実施の形態による高圧基板に供給されるデータセットのＤ７が１である場合において、ビットシフトエラーが発生したときにチャネルがどのように変更されるかを示す表である。
【図１１】本発明の第２の実施の形態による高圧基板に供給されるデータセットのＤ７が０である場合において、ビットシフトエラーが発生したときにチャネルがどのように変更されるかを示す表である。
【図１２】本発明の第３の実施の形態による高圧基板に供給されるデータセットのＤ７が１である場合において、ビットシフトエラーが発生したときにチャネルがどのように変更されるかを示す表である。
【図１３】本発明の第３の実施の形態による高圧基板に供給されるデータセットのＤ７が０である場合において、ビットシフトエラーが発生したときにチャネルがどのように変更されるかを示す表である。
【図１４】本発明の第４の実施の形態による高圧基板を含む他の構成を示す機能ブロック図である。
【図１５】本発明の第７の実施の形態による複合機の概念的断面図である。
【図１６】本発明の第７の実施の形態による複合機の機能ブロック図である。
【発明を実施するための形態】
【００１５】
以下、図面を参照して本発明を実施するための形態について詳細に説明する。
【００１６】
［第１の実施の形態］
図１は、第１の実施の形態による高圧基板を含む構成を示す。高圧基板は、制御部３０１と、複数チャネルＤ／Ａコンバータ３０３を含む。
【００１７】
制御部３０１は、複数チャネルＤ／Ａコンバータ３０３に複数のチャネルでアナログ電圧の信号を出力させるために、デジタルシリアルデータＤＡＴＡ、クロックＣＬＫ及びロード信号ＬＤを供給する。複数チャネルＤ／Ａコンバータ３０３から出力された複数のチャネルのアナログ電圧の信号は、画像形成部３０に供給される。エラー処理装置３１１は、制御部３０１に含まれ、複数チャネルＤ／Ａコンバータ３０３の未使用端末からの出力などに基づいた処理をする。複数チャネルＤ／Ａコンバータ３０３としては、例えば、ＲＯＨＭ製ＢＨ２２２１ＦＶ（８ｂｉｔ１２ｃｈ）が使用される。これらにより、記録紙などの記録媒体の表面への画像形成のために、画像形成装置３０に供給する７種類の高圧出力を制御している。
【００１８】
複数チャネルＤ／Ａコンバータ３０３は、図２に示すように、クロック端子（ＣＬＫ）、デジタルシリアルデータ入力端子（ＤＩ）、１２チャネルのアナログデータ出力端子（アドレスＡＯ１乃至ＡＯ１２の出力端子）、ロード端子（ＬＤ）、グランド端子（ＧＮＤ）及び電源端子（ＶＣＣ）を備えている。また、内部には１２ステージのパラレル出力付きのシフトレジスタより構成されるシリアルインターフェース（Ｓｅｒｉａｌ  Ｉｎｔｅｒｆａｃｅ）３０３ａを備え、更に、８ビットレジスタ（ＲＥＧ）３０３ｂ、Ａ／Ｄ変換用のラダー抵抗（Ｒ２Ｒ）３０３ｃ及び出力バッファ３０３ｄにより構成されるアナログデータ出力部を１２チャネル備えている。
【００１９】
図３（ａ）に示すように、デジタルシリアルデータは、Ｄ１１からＤ０の順にデジタルデータ入力端子（ＤＩ）に入力される。Ｄ０乃至Ｄ７は、データセットを構成し、Ｄ８乃至Ｄ１１はチャネル選択を構成する。データセットＤ０乃至Ｄ７とアナログ出力電圧レベルとの対応関係は、図４に示すとおりであり、チャネル選択Ｄ８乃至Ｄ１１とチャネルのアドレスとの対応関係は、図５に示すとおりである。
【００２０】
デジタルシリアルデータＤ１１乃至Ｄ０は、クロック端子（ＣＬＫ）に入力されるクロック信号の立ち上がりエッジによりシリアルインターフェースに順次取り込まれる。ロード端子（ＬＤ）に入力されるロード信号のレベルがＨＩＧＨとなる期間には、シリアルインターフェースの各ステージには、Ｄ１１乃至Ｄ０が格納されていることが想定されている。そして、シリアルインターフェースのチャネル選択Ｄ８乃至Ｄ１１が格納されることが想定されている４つのステージに格納されているデータにより指定されるチャネルのアナログ出力部の８ビットレジスタに、シリアルインターフェースのデータセットＤ０乃至Ｄ７が格納されることが想定されている８つのステージに格納されているデータが格納される。
【００２１】
図５に示すような対応関係に従ったチャネルのアナログ出力部の８ビットレジスタに格納されているデジタルデータに応じて、ラダー抵抗と出力バッファにより図４に示すようなデータセットとアナログ出力電圧レベルの対応関係に従ってアナログ電圧の信号がアナログデータ出力端子から出力される。従って、そのチャネルのアナログ出力部は、同様な動作により新たなデジタルデータが取り込まれるまでの間、今回取り込んだデジタルデータＤ０乃至Ｄ７に対応したアナログ電圧の信号の出力を継続する。
【００２２】
制御する高圧出力はＧＢ（グリッド）／ＭＨＶ（帯電チャージャ）／ＴＨＶ＋（転写＋）／ＴＨＶ−（転写−）／ＤＶＢＳ（現像ＤＣ）／ＤＶＢＳＡＣ（現像ＡＣ）／ＤＨＶ（剥離）の７種類であるので、必要なチャネル数は７である。
【００２３】
ＲＯＨＭ製ＢＨ２２２１ＦＶにはＤＯ端子がなく、特許文献１に記載の発明のようなＤＯ端子を使ってのノイズ対応はできない。
【００２４】
一方、本実施形態では、複数チャネルＤ／Ａコンバータのアナログチャネル数が１２であるのに対して使用するチャネル数が７であるため、５チャネルが未使用状態であり、これらの出力端子も未使用状態である。
【００２５】
通常、複数チャネルＤ／Ａコンバータの電源投入後はアナログデータ出力端子のアナログ信号は不定のため、記録媒体の表面への画像形成のために使用する前には初期値のデータを複数チャネルＤ／Ａコンバータに供給することにより、これの出力電圧を初期電圧（通常はゼロボルト）にする必要がある。ゼロボルトに対応する具体的なデータは、ＤＶＢＳ出力以外の出力に対してはゼロ、ＤＶＢＳ出力に対しては最大データの約１／５（データがゼロで出力が＋２００Ｖとなり、データが最大値で出力が−７００Ｖとなるため）にする。
【００２６】
また、未使用のアナログデータ出力端子については、この電圧が０ボルトとなるようにデジタルシリアルデータを複数チャネルＤ／Ａコンバータに供給する。なお、出力端子−ＧＮＤ間にコンデンサのみを入れていることが多い。
【００２７】
このように、未使用のアナログデータ出力端子の電圧が０ボルトとなるような設定を予めしておくと、動作中にこの出力端子の電圧が他の電圧になることを検出することができる。
【００２８】
この検出のためには、未使用のアナログデータ出力端子の電圧を直接的にエラー処理装置３１１に供給して、エラー処理装置３１１が電圧自体をモニターしても良いが、図６に示すように比較器３０７を用いて、未使用のアナログデータ出力端子の電圧と参照電圧Ｖｒｅｆとを比較し、これによる比較結果を表すデジタルデータをエラー処理装置３１１に送信する構成のほうが検出が容易である。
【００２９】
図７に示すように、ＧＢ（グリッド）／ＭＨＶ（帯電チャージャ）／ＴＨＶ＋（転写＋）／ＴＨＶ−（転写−）／ＤＶＢＳ（現像ＤＣ）／ＤＶＢＳＡＣ（現像ＡＣ）／ＤＨＶ（剥離）を、それぞれ、チャネルＡ０１、Ａ０２、Ａ０３、Ａ０４、Ａ０６、Ａ０７、Ａ０８に割り当てる。
【００３０】
例えば、画像形成装置が印字動作を開始する場合、図７に示すように時刻Ｔ１乃至Ｔ７の順番で各出力に規定の出力をセットする。
【００３１】
時刻Ｔ１：全出力に初期値レベルをセットする。
【００３２】
時刻Ｔ２：ＧＢ、ＭＨＶ、ＤＶＢＳにそれぞれ出力レベル１−２、２−２及び５−２をセットする。
【００３３】
時刻Ｔ３：ＧＢに時間の経過と共に段階的に変化する出力レベル１−３を逐次セットする。また、ＤＶＢＳに初期値と同一の出力レベル５−３を再度セットする。
【００３４】
時刻Ｔ４：ＤＶＢＳに時間の経過と共に段階的に変化する出力レベル５−４を逐次セットする。
【００３５】
時刻Ｔ５：ＤＶＢＳＡＣに出力６−５レベルをセットする。
【００３６】
時刻Ｔ６：ＴＨＶ＋及びＴＨＶ−にそれぞれ出力レベル３−６及び４−６をセットする。
【００３７】
時刻Ｔ７：ＴＨＶ＋及びＤＨＶにそれぞれ出力レベル３−７及び７−７をセットする。
【００３８】
Ｔ７の直後に感光体から記録用紙にトナーが転写される。
【００３９】
次に、印字動作中に外来ノイズや高圧出力のリークノイズなどが発生して、シリアル伝送されるデジタルシリアルデータ（ＤＩ）、クロック（ＣＬＫ）又はロード信号（ＬＤ）が変化する場合について考える。
【００４０】
ノイズはシリアル伝送されるデジタルシリアルデータ（ＤＩ）、クロック（ＣＬＫ）及びロード信号（ＬＤ）に対して等しく重畳するのではなく、ノイズ発生場所やリーク波形／強さ（波頭）などによって、異なった仕方で重畳する場合が多い。
【００４１】
具体的には、１つとみることができるノイズに対して、シリアル伝送されるデジタルシリアルデータ（ＤＩ）、クロック（ＣＬＫ）又はロード信号（ＬＤ）の全ラインが変化する場合もあれば、変化するラインと変化しないラインが混在する場合もある。
【００４２】
まず、１つとみることができるロード信号（ＬＤ）のラインが変化する場合を考える。      
【００４３】
ロード信号（ＬＤ）がＬＯＷである期間にロード信号（ＬＤ）のラインがノイズなどの外乱により一時的にＨＩＧＨに変化するのであるが、クロック（ＣＬＫ）ラインがノイズなどの外乱により変化しない場合は、シフトレジスタのデータは変化しないため、何れのチャネルのアナログ出力端子の信号も変化しない。
【００４４】
その一方で、ロード信号（ＬＤ）がＬＯＷである期間にロード信号（ＬＤ）のラインがノイズなどの外乱により一時的にＨＩＧＨに変化する前にクロック（ＣＬＫ）ラインがノイズなどの外乱により変化しているのであれば、ロード信号（ＬＤ）のラインがノイズなどの外乱により一時的にＨＩＧＨに変化する前にシフトレジスタのデータに変化が発生しているため、多くの場合何れかのチャネルのアナログ出力端子の信号は外乱を原因として変化する。但し、変化したシフトレジスタのデータが現在の何れかのチャネルのアナログ出力部に対するアドレスとデータの組み合わせと一致する場合には何も変化しないし、変化したシフトレジスタのデータが指定不可能なアドレス（１３乃至１６）を含む場合にも変化しない。
【００４５】
また、ロード信号（ＬＤ）がＬＯＷである期間にロード信号（ＬＤ）のラインが、デジタルシリアルデータ（ＤＩ）のライン及びクロック（ＣＬＫ）のラインの何れか一方又は双方と同時にノイズなどの外乱により変化するだけである場合には、複数チャネルＤ／Ａコンバータの仕様によれば、ノイズなどの外乱によりシフトしたデータはロード信号（ＬＤ）により取り込まれないので、何れのチャネルのアナログ出力部の出力レベルも変化しない。
【００４６】
次に、ＣＬＫラインが変化した場合を考える。
【００４７】
クロックラインがノイズにより変化する場合には、１つのクロックの期間にデジタルシリアルデータのラインがノイズにより変化しようがしまいが、クロックラインがノイズにより変化した時のデジタルシリアルデータがシフトレジスタに追加して書き込まれることになるので、シフトレジスタにおいてビットシフトが発生する。特に、１つのクロック期間にデジタルラインがノイズにより変化しないのであれば、同一のデジタルデータが二重にシフトレジスタに書き込まれる。例えば、デジタルシリアルラインのデータがＤ５であるときにクロックラインがノイズにより変化するのであれば、シフトレジスタには、
Ｄ１１、Ｄ１０、Ｄ９、Ｄ８、Ｄ７、Ｄ６、Ｄ５、Ｄ５、Ｄ４、Ｄ３、Ｄ２、Ｄ１、Ｄ０
がこの順に書き込まれるが、シフトレジスタのビット数は、１２であるので、シフトレジスタには、
Ｄ１０、Ｄ９、Ｄ８、Ｄ７、Ｄ６、Ｄ５、Ｄ５、Ｄ４、Ｄ３、Ｄ２、Ｄ１、Ｄ０
が残留することになる。従って、チャネル選択としては、本来ならば、
Ｄ１１、Ｄ１０、Ｄ９、Ｄ８
が残留するべきであるところが、
Ｄ１０、Ｄ９、Ｄ８、Ｄ７
が残留することになってしまう。
【００４８】
クロックラインがノイズにより変化し、デジタルシリアルデータのラインもノイズにより変化する場合には、クロックラインがノイズにより変化した時の異常なデジタルシリアルデータがシフトレジスタに追加して書き込まれることになるので、シフトレジスタにおいてビットシフトが発生する。例えば、デジタルシリアルラインのデータがＤ５であるときにクロックラインがノイズにより変化するのであれば、シフトレジスタには、異常なデータをＤｘで表すと、
Ｄ１１、Ｄ１０、Ｄ９、Ｄ８、Ｄ７、Ｄ６、Ｄｘ、Ｄ５、Ｄ４、Ｄ３、Ｄ２、Ｄ１、Ｄ０
がこの順に書き込まれるが、シフトレジスタのビット数は、１２であるので、シフトレジスタには、
Ｄ１０、Ｄ９、Ｄ８、Ｄ７、Ｄ６、Ｄｘ、Ｄ５、Ｄ４、Ｄ３、Ｄ２、Ｄ１、Ｄ０
が残留することになる。従って、チャネル選択としては、本来ならば、
Ｄ１１、Ｄ１０、Ｄ９、Ｄ８
が残留するべきであるところが、
Ｄ１０、Ｄ９、Ｄ８、Ｄ７
が残留することになってしまう。
【００４９】
最後に、ＤＡＴＡラインが変化した場合を考える。
【００５０】
ＤＡＴＡラインのみが変化した場合は、シフトレジスタのデータに変化が発生しないため、何れのチャネルのアナログデータ出力端子とも変化しない。
【００５１】
その他の場合は上記に従って変化する。
【００５２】
上記の何れかのケースによって、何れかのチャネルのアナログデータ出力端子の電圧変化が発生するが、ノイズ発生場所やリーク波形／強さ（波頭）などによって、ノイズの重畳の仕方が異なり、シフトレジスタのデータの変化の仕方は予測不可能ある。
【００５３】
しかし、予測不可能であっても、以下のことをすることで、ある程度シフトレジスタのデータの変化の仕方を規制させることができる。
【００５４】
具体的には以下の方法が考えられる。
【００５５】
電圧が変化するアナログデータ出力端子が記録媒体の表面への画像形成のために使用する７つのチャネルの何れかのものである場合は、その電圧変化が小さく、または、多少大きい程度であれば画像色変化で済むかも知れないが、その電圧変化が大きければ画像色変化のみならず、ベタ画像の発生や、キャリアが上がるという結果が生じてしまうため、所定の期間に電圧が変化することを意図していないチャネルのアナログデータ出力端子の電圧変化は、それが発生したことに利用者は気付くことができる。
【００５６】
出力電圧の変化が未使用チャネルのアナログデータ出力端末に発生した場合には、画像に変化が発生しないので、利用者が画像を見てもその変化に気付くことができない。
【００５７】
そこで、ノイズなどの外乱によりシフトレジスタが出力するデータが変化する場合には、未使用チャネルのアナログデータ出力端子の電圧のみが変化し、使用チャネルのアナログデータ出力端子の電圧が変化しないようにすることにより、ノイズなどの外乱により画像に異常が発生することを防止し、且つ、未使用チャネルのアナログデータ出力端子の電圧を観測して、異常を検出することが可能になる。
【００５８】
次に、未使用出力だけを変化させるように規制する方法について考える。
【００５９】
図８は、高圧基板の出力とチャネルとの対応関係などを示す。
【００６０】
１２ｃｈのＤＡコンバータに対して、７種類の使用出力を７つのチャネルであるＡ０１−Ａ０４、Ａ０６−Ａ０８に割り当てる。残りの５チャネルであるＡ０５、Ａ０９−Ａ１２は未使用とする。
【００６１】
図７を参照すると、例えば、印字動作を開始時のタイミングＴ２で出力するＧＢ（チャネルＡ０１）／ＭＨＶ（チャネルＡ０２）／ＤＶＢＳ（チャネルＡ０６）の内でどのチャネルにデータを最後にセットするのかによって、タイミングＴ３までの間にノイズが発生してシフトレジスタに入力されるデジタルシリアルデータが１ビットシフトした場合に出力変化してしまう出力チャネルは変わってくる。
【００６２】
タイミングＴ２でセットする３つの出力のうちで最後にセットする出力について各々場合分けして考えてみる。
【００６３】
まず、タイミングＴ２の最後にＧＢ（チャネルＡ０１）（（Ｄ１１、Ｄ１０、Ｄ９、Ｄ８）＝（１、０、０、０））にデータをセットする場合について考える。
【００６４】
次に、タイミングＴ２の最後にＭＨＶ（チャネルＡ０２）（（Ｄ１１、Ｄ１０、Ｄ９、Ｄ８）＝（０、１、０、０））にデータをセットする場合について考える。ＭＨＶ出力のレベルは環境やライフ等によって変わるがタイミングＴ２で高い出力（Ｄ７＝１）)なのか低い出力（Ｄ７＝０）なのかを制御手段自身が把握しているため、制御手段は、もしも、ノイズが発生してシフトレジスタに入力されるデジタルシリアルデータが１ビットシフトするならば、変化後の出力チャネルが図８の表に従い未使用端子Ａ０９になるのか、図９の表に従いＧＢチャネル用のＡ０１になるのかを予測できる。
【００６５】
従って、ＭＨＶのＤ７が１であれば、タイミングＴ２の直後で未使用チャネル（Ａ０９）の出力レベルが変化したこと（ゼロでなくなったこと）を検出したならば、ＭＨＶ（Ａ０２）にデータを設定しようとしている期間に混入したノイズにより、ＭＨＶ（Ａ０２）に正しく出力レベルが設定されなかったことを検出することができる。
【００６６】
また、タイミングＴ１からタイミングＴ２までの期間の何れかの時点において未使用チャネル（Ａ０９）の出力レベルが変化したこと（ゼロでなくなったこと）を検出したならば、ビットシフトがその時点で発生したことがわかるが、それにより、影響を受けているのは、未使用チャネル（Ａ０９）のみであり、ＭＨＶには正しい値が設定されたままである。
【００６７】
また、ＭＨＶのＤ７が０であれば、タイミングＴ２の直後でＧＢ（Ａ０１）の出力レベルが変化したことを検出したならば、ＭＨＶ（Ａ０２）にデータを設定しようとしている期間に混入したノイズにより、ＭＨＶ（Ａ０２）に正しく出力レベルが設定されなかったことを検出することができる。
【００６８】
また、タイミングＴ１からタイミングＴ２までの期間の何れかの時点においてＧＢ（Ａ０１）の出力レベルが変化したことを検出したならば、ビットシフトがその時点で発生したことがわかるが、それにより、影響を受けているのは、ＧＢ（）（Ａ０１）のみであり、ＭＨＶには正しい値が設定されたままである。
【００６９】
最後に、タイミングＴ２の最後にＤＶＢＳ（チャネルＡ０６）（（Ｄ１１、Ｄ１０、Ｄ９、Ｄ８）＝（０、１、１、０））にデータをセットする場合について考える。タイミングＴ２ではＤＶＢＳ出力のレベルはほぼ０であり、従ってＤ７＝０である。従って、もしも、ノイズが発生してシフトレジスタに入力されるデジタルシリアルデータが１ビットシフトするならば、図９の表に従い、（Ｄ１１、Ｄ１０、Ｄ９、Ｄ８）＝（１、１、０、０）となる。従って、ＤＶＢＳのチャネルの出力レベルは変化せず、その代わりに、ＴＨＶ＋（Ａ０３）の出力レベルが変化する。従って、タイミングＴ２の直後でＴＨＶ＋（Ａ０３）の出力レベルが変化したことを検出したならば、ＤＶＢＳ（Ａ０６）にデータを設定しようとしている期間に混入したノイズにより、ＤＶＢＳ（Ａ０６）に正しく出力レベルが設定されなかったことを検出することができる。
【００７０】
また、タイミングＴ１からタイミングＴ２までの期間の何れかの時点においてＴＨＶ＋（Ａ０３）の出力レベルが変化したことを検出したならば、ビットシフトがその時点で発生したことがわかるが、それにより、影響を受けているのは、ＴＨＶ＋（Ａ０３）のみであり、ＤＶＢＳ（Ａ０６）には正しい値が設定されたままである。
【００７１】
また、タイミングＴ２以外の場合も考えてみることにする。
【００７２】
タイミングＴ３からタイミングＴ４までの期間において、ノイズ発生などによる１ビットシフトによって、未使用のチャネルの出力レベルが変化し、又は、アドレスがチャネル割り当てのないアドレス（Ａ００）となる場合を探すと、それは、ＧＢ階段制御の前半のＧＢ（Ａ０１）のレベルが低い場合（Ｄ７＝０である場合）のみである。その場合には、ノイズ発生による１ビットシフトが発生しても影響を受けるチャネルは、「対象なし（Ａ００）」であり、それ以外のチャネルは影響を受けない。
【００７３】
チャネル「対象なし（Ａ００）」に出力異常を検出する機能を付ければ、それによりＧＢ（Ａ０１）のデータのビットシフトを検出することができる。また、これを検出したならば、所定のタイミングからの動作をやり直すこともできる。
【００７４】
次に、タイミングＴ４からタイミングＴ５までの期間において、ノイズ発生などによる１ビットシフトによって、未使用のチャネルの出力レベルが変化し、又は、アドレスがチャネル割り当てのないアドレス（Ａ００）となる場合を探すと、ＤＶＢＳ階段制御の後半のＤＶＢＳ（Ａ０６）の高い出力（Ｄ７＝１）の場合のみである。その場合には、ノイズ発生による１ビットシフトによって未使用端子（Ａ１１）となって、Ｄ／Ａンバータの出力異常を検出することができる。また、検出後に所定のタイミングからの動作をやり直すこともできる。
【００７５】
同様に、タイミングＴ５からタイミングＴ７までの期間において、ノイズ発生などによる１ビットシフトによって、未使用のチャネルの出力レベルが変化し、又は、アドレスがチャネル割り当てのないアドレス（Ａ００）となる場合を探すと、各々の出力（Ａ０３、Ａ０４、Ａ０７、Ａ０８）の高い出力レベル（Ｄ７＝１）（出力６−５、４−６、３−７、７−７）の場合のみである。出力（Ａ０３、Ａ０４、Ａ０７、Ａ０８）が高い出力レベル（Ｄ７＝１）（出力６−５、４−６、３−７、７−７）のときにビットシフトが起きると、未使用のチャネルの出力レベルがゼロ以外に変化する。これらを検出することにより、異常が発生していることがわかる。
【００７６】
また、例えばタイミングＴ５で出力するのはＤＶＢＳＡＣ（Ａ０７）（出力６−５）のみであるが、Ａ０７はノイズによりＡ０３かＡ１１に変化する可能性がある。
【００７７】
ここで、２つの変化後のチャネルのうちのチャネルＡ１１は未使用チャネルであるが、チャネルＡ０３は、未使用チャネルではなく、使用される他の出力（ＴＨＶ＋）である。意図せずにノイズによりチャネルＡ０３の出力レベルが変化することは回避したい。そこで、出力６−５に設定するデータのＤ７がゼロであれば、Ａ０７を出力６−５にセットした後に、Ａ０７のビットシフトによるエラーがＡ０３に発生しているかをみることなく、無条件にＡ０３に初期値（時刻Ｔ１に設定した）を再度セットすればよい。これにより、Ａ０７のエラーによりＡ０３のレベルが変化してもこれを訂正することができる。
【００７８】
また、Ａ０７に出力６−５を設定するときにビットシフトが発生することを検出することができるのであれば、その検出があった場合にのみ、Ａ０３のレベルを再設定すればよい。Ａ０７に出力６−５を設定するときにビットシフトによりＡ０３のレベルが異常となってしまうことを検出するためには次の方法を用いることができる。すなわち、Ａ０７に出力６−５を設定する時には既にＡ０１に出力１−３が設定され、Ａ０６には出力５−４が設定されている。従って、Ａ０７に出力６−５を設定してからＡ０１に出力１−３を再度設定しても、Ａ０１の出力に変動はないし、Ａ０７に出力６−５を設定してからＡ０６に出力５−４を再度設定しても、出力Ａ０６の出力に変動はない。
【００７９】
ここで、Ａ０１の出力１−３のＤ７がゼロである場合に、Ａ０７に出力６−５を設定してからＡ０１に出力１−３を再度設定するという一連の動作において、２つのチャネルのうちの何れかのチャネルに対するデジタルシリアルデータを伝送する時にノイズが発生してシフトレジスタに入力されるデジタルシリアルデータが１ビットシフトするならば、それに続くチャネルに対しても同様にシフトレジスタに入力されるデジタルシリアルデータが１ビットシフトするような構成であれば、Ａ０７に出力６−５を設定する際に発生したビットシフトがＡ０１に出力１−３を設定するときまで波及し、これによりＡ０１はＡ００（未割当）に変化する。Ａ００におけるレベルの変化を検出することにより、Ａ０７にエラーが発生した可能性があることを検出することができる。
【００８０】
同様に、Ａ０６の出力５−４のＤ７が１である場合に、Ａ０７に出力６−５を設定してからＡ０６に出力５−４を再度設定するという一連の動作において、２つのチャネルのうちの何れかのチャネルに対するデジタルシリアルデータを伝送する時にノイズが発生してシフトレジスタに入力されるデジタルシリアルデータが１ビットシフトするならば、それに続くチャネルに対しても同様にシフトレジスタに入力されるデジタルシリアルデータが１ビットシフトするような構成であれば、Ａ０７に出力６−５を設定する際に発生したビットシフトがＡ０６に出力５−４を設定するときまでに波及し、これによりＡ０６はＡ１１（未割当）に変化する。Ａ１１におけるレベルの変化を検出することにより、Ａ０７にエラーが発生した可能性があることを検出することができる。
【００８１】
これらを利用して、Ａ０７のビットシフトエラーを検出し、更には、Ａ０３のレベルエラーを検出することが可能になる。このようなエラーを検出した場合、例えば、Ａ０１への出力１−３の設定から再開したり、Ａ０６への出力５−４の設定から再開したりすることもできる。
【００８２】
同様に、２つのチャネルのうちの何れかのチャネルに対するデジタルシリアルデータを伝送する時にノイズが発生してシフトレジスタに入力されるデジタルシリアルデータが１ビットシフトするならば、それに続くチャネルに対しても同様にシフトレジスタに入力されるデジタルシリアルデータが１ビットシフトするような構成であれば、特定のチャネルにおいて発生したビットシフトにより測定できないチャネル（例えばチャネルＡ００）の出力レベルが変動する場合には、特定のチャネルの設定データに追加チャネルの再設定データを続け、追加チャネルのビットシフトエラーにより発生した測定できるチャネルの出力レベルの変動を検出することにより特定のチャネルで発生したビットシフトエラーを検出することができる。
【００８３】
なお、ビットシフトエラーを検出したら、動作を停止してもよい。また、ビットシフトエラーを検出したならば、エラー信号を出力してもよい。
【００８４】
［第２の実施の形態］
第１の実施の形態では、図８及び図９に示すようなチャネルに対する電圧の割当てをしていたが、第２の実施の形態では、図１０及び図１１に示すようなチャネルに対する電圧の割当てをする。第１の実施の形態では、Ｄ７＝０のときにＡ０２またはＡ０３にビットシフトエラーが発生すると、ＧＢが割り当てられているＡ０１の出力レベルが変動してしまうが、第２の実施の形態では、Ａ０１が未使用であるため実質的に出力レベルの変動を避けることができる。
【００８５】
［第３の実施の形態］
第３の実施の形態では、図１２及び図１３に示すようにチャネルに対する電圧の割当てをする。第３の実施の形態では、実際に使用するチャネル数は５である。第３の実施の形態では、実際に使用するどのチャネルに対してビットシフトエラーが発生しても、他の実際に使用するチャネルの出力レベルが変動することを避け、且つ、未使用のチャネルのレベルを変動させることができる。
【００８６】
出力チャネルを増やす場合には、例えば、このような割当をする複数チャネルＤ／Ａコンバータを複数利用すればよい。
【００８７】
［第４の実施の形態］
図１４に示すように、ダイオード３０５により複数の未使用出力端末の電圧の最大値を比較器３０７に供給するようにしてもよい。
【００８８】
個々の未使用出力のレベルをみなくても、異常レベルが発生したタイミングや、異常レベルが発生した直前付近においてシリアルデータを送ったチャネルにより、どのチャネルにエラーが発生したかを検出することができる。
【００８９】
［第５の実施の形態］
ビットシフトによりあるチャネルのアナログ出力レベルが変動したことを、変動前と変動後のレベルの差分により検出してもよい。
【００９０】
［第６の実施の形態］
第１乃至第４の実施の形態は、その各々がレジスタ、Ａ／Ｄ変換用のラダー抵抗及び出力バファを備える複数のアナログデータ出力部があることを前提としていたが、全部または一部のアナログデータ出力部をデジタルデータ出力部に置き換えてもよい。デジタルデータ出力部は、レジスタのみ、又は、レジスタ及び出力バッファのみを備えればよい。この場合、複数チャネルＡ／Ｄコンバータ３０３は、データ分配装置として機能する。必要な箇所において、これから出力したデジタルデータをアナログデータに変換することができる。
【００９１】
［第7の実施の形態］
第7の実施の形態は、第１乃至第３の実施の形態によるエラー処理装置を含む複合機８００に関するものである。図１５及び図１６は、複合機８００の構成などを示すものである。
【００９２】
図１５及び図１６に示すように、複合機８００は、原稿の画像を読み取る原稿読取装置８２０と、シートに画像を形成する複合機本体（画像形成部本体）８３０と、原稿読取装置８２０及び複合機本体８３０を操作するための操作パネル部８４３と、操作パネル部８４３による操作に基づいて原稿読取装置８２０及び複合機本体８３０を制御する演算処理部８４１と、を備えている。
【００９３】
画像読取りのために原稿読取装置８２０を単体で用いること、画像形成のために複合機本体８３０を単体で用いることの他に、画像を複写するためにこれらを連動させることもできる。また、複合機８００は図示しない記憶装置及びファクシミリ装置を含んでいてもよい。記憶装置は、原稿読取装置８２０により読み取られた画像やファクシミリ装置により受信した画像を格納することができる。ファクシミリ装置は、原稿読取装置８２０により読み取られた画像や記憶装置に格納されている画像を送信することと、外部から画像を受信することができる。更に、複合機８００は、ネットワークを介してパーソナルコンピュータと接続するためのインターフェースを含んでいてもよい。複合機８００に接続されたパーソナルコンピュータは、これが管理できるデータについて複合機の機能を利用することができる。
【００９４】
原稿読取装置８２０は、原稿を自動給送する原稿自動給送部ＳＰＦ（Ｓｉｎｇｌｅ  Ｐａｓｓ  Ｆｅｅｄｅｒ）８２４と、原稿の画像を読み取る読取装置本体８２２と、を備えている。なお、原稿読取装置８２０は、図１６に示す構成要素の他に、図１６は示されないが図１５に示される構成要素も含む。また、図１５に示すように、読取装置本体８２２には、原稿台８２６が備わる。
【００９５】
複合機本体８３０は、シートを給送するシート給送部１０と、シートを手差し給送可能な手差し給送部２０と、シート給送部１０又は手差し給送部２０により給送されるシートに画像を形成する画像形成部３０と、を備えている。
【００９６】
シート給送部１０は、シートを積載するシート積載部１１と、シート積載部１１に積載されたシートを１枚ずつ分離給送する分離給送部１２と、を備えている。シート積載部１１は、回転軸１３を中心に回動する中板１４を備えており、中板１４は、シートを給送する際に回動してシートを上方に持ち上げる。分離給送部１２は、中板１４により持ち上げられたシートを給送するピックアップローラ１５と、ピックアップローラ１５により給送されるシートを１枚ずつに分離する分離ローラ対１６と、を備えている。
【００９７】
手差し給送部２０は、シートを積載可能な手差しトレイ２１と、手差しトレイ２１に積載されたシートを１枚ずつ分離給送する分離給送部２２と、を備えている。手差しトレイ２１は、複合機本体８３０に回動自在に支持されており、手差し給送する際には、所定の角度に固定させることでシートを積載可能になる。分離給送部２２は、手差しトレイ２１に積載されたシートを給送するピックアップローラ２３と、ピックアップローラ２３により給送されるシートを１枚ずつに分離する分離ローラ２４及び分離パッド２５と、を備えている。
【００９８】
画像形成部３０は、イエロー（Ｙ）、マゼンタ（Ｍ）、シアン（Ｃ）、ブラック（Ｋ）の画像を形成する４つのプロセスカートリッジ３１Ｙ〜３１Ｋと、後述する感光体ドラム７４０Ｙ〜７４０Ｋと、これらの表面を露光する露光装置３２と、感光体ドラム７４０Ｙ〜７４０Ｋの表面に形成されたトナー像をシートに転写する転写部（転写手段）３３と、転写したトナー像をシートに定着させる定着部３４と、を備えている。なお、符号の最後に付すアルファベット（Ｙ、Ｍ、Ｃ、Ｋ）は、それぞれの色（イエロー、マゼンタ、シアン、ブラック）を示している。
【００９９】
４つのプロセスカートリッジ３１Ｙ〜３１Ｋのそれぞれは、複合機本体８３０から取り外し可能に構成されており、交換可能となっている。なお、４つのプロセスカートリッジ３１Ｙ〜３１Ｋは、形成する画像の色が異なること以外は同様な構成であるため、イエロー（Ｙ）の画像を形成するプロセスカートリッジ３１Ｙの構成のみの説明し、プロセスカートリッジ３１Ｍ〜３１Ｋの説明は省略する。
【０１００】
プロセスカートリッジ３１Ｙは、像担持体としての感光体ドラム７４０Ｙと、感光体ドラム７４０Ｙを帯電させる帯電器７４１Ｙと、感光体ドラム７４０Ｙ上に形成された静電潜像を現像する現像装置７４２Ｙと、感光体ドラム７４０Ｙの表面に残留するトナーを除去するドラムクリーナと、を備えている。現像装置７４２Ｙは、感光体ドラム７４０Ｙを現像する現像装置本体（詳細には図示せず）と、現像装置本体にトナーを供給するトナーカートリッジ（詳細には図示せず）と、を備えている。トナーカートリッジは、現像装置本体に着脱可能に構成されており、収容されたトナーが無くなると、現像装置本体から取り外して、交換することができるようになっている。
【０１０１】
露光装置３２は、レーザ光を照射する光源（図示せず）と、レーザ光を感光体ドラム７４０Ｙ〜７４０Ｋに導く複数のミラー（図示せず）等と、を備えている。転写部３３は、感光体ドラム７４０Ｙ〜７４０Ｋに形成されたトナー像を担持する中間転写ベルト３５と、感光体ドラム７４０Ｙ〜７４０Ｋに形成されたトナー像を中間転写ベルト３５に一次転写する一次転写ローラ３６Ｙ〜３６Ｋと、中間転写ベルト３５に転写されたトナー像をシートに二次転写する二次転写ローラ３７と、中間転写ベルト３５に残留するトナーを除去するベルトクリーナ３８と、を備えている。中間転写ベルト３５は、駆動ローラ３９ａ及び従動ローラ３９ｂに掛け渡されており、一次転写ローラ３６Ｙ〜３６Ｋによって感光体ドラム７４０Ｙ〜７４０Ｋに押し付けられている。二次転写ローラ３７は、駆動ローラ３９ａとで中間転写ベルト３５をニップ（挟持）しており、ニップ部Ｎで中間転写ベルト３５が担持するトナー像をシートに転写する。定着部３４は、シートを加熱する加熱ローラ３４ａと、加熱ローラ３４ａに圧接する加圧ローラ３４ｂと、を備えている。
【０１０２】
操作パネル部８４３は、所定の情報を表示する表示部８４５と、利用者が原稿読取装置８２０及び複合機本体８３０への指示を入力する入力部８４７と、を備えている。本実施形態においては、操作パネル部８４３は、読取装置本体８２２の正面側に配設されている。なお、正面側は図１５の紙面の手前側に対応し、裏面側は図１５の背面側に対応する。
【０１０３】
図１６に示すように、演算処理部８４１は、シート給送部１０、手差し給送部２０、画像形成部３０及び原稿読取装置８２０を駆動制御するＣＰＵ８４１ａと、ＣＰＵ８４１ａを動作させるための各種プログラムとＣＰＵ８４１ａが用いる各種情報等を記憶するメモリ８４１ｂと、を備えている。演算処理部８４１は、利用者による操作パネル部８４３への操作に基づいて、シート給送部１０、手差し給送部２０、画像形成部３０及び原稿読取装置８２０の動作を統合して制御し、シートに画像を形成させる。
【０１０４】
制御部３０１は、演算処理部８４１に含まれていてもよいし、これと別個に設けられていてもよい。
【０１０５】
次に、上述のように構成された複合機８００による画像形成動作（演算処理部８４１による画像形成制御）について説明する。本実施形態においては、原稿自動給送部８２４により給送され、読取装置本体８２２により読み取られた読取原稿の画像を、シート給送部１０により給送されるシートに画像形成部３０が形成する画像形成動作を例にとり説明する。
【０１０６】
利用者による操作パネル部８４３の入力部８４７への入力により、画像形成開始信号が発信されると、利用者により原稿自動給送部８２４に載置された読取原稿が原稿読取位置に向けて自動給送され、原稿読取位置で読取装置本体８２２によって画像が読み取られる。
【０１０７】
読取装置本体８２２により原稿の画像が読み取られると、読み取られた原稿の画像情報に基づいて、露光装置３２が感光体ドラム７４０Ｙ〜７４０Ｋに向けて、それぞれに対応する複数のレーザ光を照射する。このとき、感光体ドラム７４０Ｙ〜７４０Ｋは、それぞれ、帯電器７４１Ｙ〜７４１Ｋにより予め帯電されており、それぞれに対応するレーザ光が照射されることで感光体ドラム７４０Ｙ〜７４０Ｋ上にそれぞれの静電潜像が形成される。その後、現像装置７４２Ｙ〜７４２Ｋにより感光体ドラム７４０Ｙ〜７４０Ｋ上にそれぞれ形成された静電潜像が現像され、感光体ドラム７４０Ｙ〜７４０Ｋ上に、イエロー（Ｙ）、マゼンタ（Ｍ）、シアン（Ｃ）及びブラック（Ｋ）のトナー像が形成される。感光体ドラム７４０Ｙ〜７４０Ｋ上に形成された各色のトナー像は、一次転写ローラ３６Ｙ〜３６Ｋによって中間転写ベルト３５に重畳転写され、重畳転写されたトナー像（フルカラーのトナー像）は、中間転写ベルト３５に担持された状態でニップ部Ｎまで搬送される。
【０１０８】
上述の画像形成動作に並行して、シート積載部１１に積載されたシートが、分離給送部１２によって１枚ずつに分離されながら、ピックアップローラ１５によりシート搬送路２６に給送される。そして、ニップ部Ｎのシート搬送方向上流にあるレジストローラ対２７で、斜行が補正されると共に、所定の搬送タイミングでニップ部Ｎに搬送される。ニップ部Ｎに搬送されたシートは、二次転写ローラ３７によって中間転写ベルト３５が担持するフルカラーのトナー像が転写される。
【０１０９】
トナー像が転写されたシートは、定着部３４で加熱・加圧されることでトナー像が溶融定着され、排出ローラ対１８により装置外に排出される。装置外に排出されたシートは、排出シート積載部１９に積載される。
【０１１０】
なお、シートの両面（第１面及び第２面）に画像を形成する場合には、第１面に画像が形成されたシートが装置外に排出される前に、排出ローラ対１８を逆回転させて両面搬送路１７に搬送し、両面搬送路１７を介して画像形成部３０に再搬送する。そして、第１面と同様に、第２面に画像を形成し、装置外に排出する。装置外に排出されたシートは、排出シート積載部１９に積載される。
【０１１１】
なお、上記のエラー処理装置は、ハードウェア、ソフトウェア又はこれらの組合わせにより実現することができる。また、上記のエラー処理装置により行なわれるエラー処理方法も、ハードウェア、ソフトウェア又はこれらに組合わせにより実現することができる。ここで、ソフトウェアによって実現されるとは、コンピュータがプログラムを読み込んで実行することにより実現されることを意味する。
【０１１２】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｒｅａｄ  Ｏｎｌｙ  Ｍｅｍｏｒｙ）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（ｒａｎｄｏｍ  ａｃｃｅｓｓ  ｍｅｍｏｒｙ））を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１１３】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１１４】
本発明は、データ分配装置又は複数チャネルＤ／Ａ変換器で発生したエラーの処理に利用することができる。
【符号の説明】
【０１１５】
３０  画像形成部
３０１  制御部
３０３  複数チャネルＤ／Ａコンバータ
３０５  ダイオード
３０７  比較器
【図１】
2020016837.tif 000003
【図２】
2020016837.tif 000004
【図３】
2020016837.tif 000005
【図４】
2020016837.tif 000006
【図５】
2020016837.tif 000007
【図６】
2020016837.tif 000008
【図７】
2020016837.tif 000009
【図８】
2020016837.tif 000010
【図９】
2020016837.tif 000011
【図１０】
2020016837.tif 000012
【図１１】
2020016837.tif 000013
【図１２】
2020016837.tif 000014
【図１３】
2020016837.tif 000015
【図１４】
2020016837.tif 000016
【図１５】
2020016837.tif 000017
【図１６】
2020016837.tif 000018